(57)【要約】本発明は、内径ｄによって限定される中央円形開口部（48）を備えると共に、外径がＤである環状ケース（10）を有する時計のムーブメントに関する。本発明によると、歯車列（34）は、分歯車（36a）と小歯車（36b）とからなる可動部材（36）、該分歯車（36a）によって駆動されると共に分針（40）を支持する筒カナ（38）、及び小歯車（36b）によって駆動されると共に時針（44）を支持する筒車（42）を有する。筒カナ（38）と筒車（42）とはケース（10）に対して同心であり、ｄにほぼ等しい中央開口部を備えている。分歯車（36a）は(D-d)/2よりもわずかに小さい直径を備えている。【選択図】図２
2004528551.tif 000002
【特許請求の範囲】
【請求項１】
内径ｄによって定義される円形の中央開口部（48）を備えると共に、外径がＤである環状の枠（10）を有する時計のムーブメントであって、前記枠が
・動力源（16）、
・タイムベース（18）、
・該タイムベース（18）と同期して作動される計数装置（20）、
・該計数装置（20）によって作動される装置列（26）、
・アナログ時間表示手段（40、44）を支持するように設計された日の裏装置列（34）、及び
・該表示手段（40、44）を修正する手段（46、50、56、58）
を有するムーブメントにおいて、日の裏装置列（34）が歯車（36a）と小歯車（36b）を含む日の裏装置可動部材（36）、前記日の裏装置の歯車（36a）によって駆動されると共に分針（40）を支持する筒カナ（38）、及び前記日の裏装置の小歯車（36b）によって駆動されると共に時針（44）を支持する筒車（42）を有し、前記筒カナ（38）と筒車（42）とは前記枠（10）に同心であると共に実質的にｄに等しい中央開口部を有しており、日の裏装置の歯車（36a）は(D-d)/2よりもわずかに小さい直径を有していることを特徴とする、時計のムーブメント。
【請求項２】
前記装置列が回転軸（28c）を備える第一回転部材（28）を有し、該回転軸に日の裏装置可動部材（36）が摩擦搭載されていることを特徴とする、請求項１に記載のムーブメント。
【請求項３】
前記表示手段を修正する手段（46、50、56、58）が、前記筒カナ（38）と直接嵌合する少なくとも１つの歯車（58）を有することを特徴とする請求項１及び１のいずれか１項に記載のムーブメント。
【請求項４】
装置列（26）の可動部材の回転軸が、(D+d)/2に等しい直径の円（C）上に実質的に配されていることを特徴とする請求項１〜３のいずれか１項に記載のムーブメント。
【請求項５】
動力源が香箱（16）によって形成される機械的なものであり、タイムベースが天府（18）であり、計数装置が脱進機（20）であり、香箱（16）と天府（20）とが前記円（C）上に実質的に配された軸上で軸支旋回することを特徴とする請求項４に記載のムーブメント。
【請求項６】
文字盤の反対側に配置され、１つが十位（74）を示し、他方が一位（76）を示す２つの表示円盤を有し、日付を前記開口部（48）に示す日付表示手段（72）をさらに有することを特徴とする請求項１〜５のいずれか１項に記載のムーブメント。
【請求項７】
前記筒カナ（38）及び筒車（42）がそれぞれ互いに嵌合する管状部（38a、42a）を有し、筒カナの管状部（38a）は、自由に回転することができるように中央開口部（48）に配されていることを特徴とする請求項１〜６のいずれか１項に記載のムーブメント。
【請求項８】
日の裏装置の可動部材（36）と、筒カナ（38）及び筒車（42）の歯とが枠の底側に配置されており、筒カナの管状部（38a）が内径と外径とによって定義され、その外径がｄよりわずかに小さく、筒カナが前記開口部（48）で自由に回転することができるようになっており、筒車の管状部（42a）が筒カナの管状部（38a）の内径よりもわずかに小さい外径によって限定されており、筒車（42）が筒カナの中で自由に回転することができるようになっている請求項７に記載のムーブメント。
【請求項９】
筒車の管状部（42a）が物の収容部として機能することを特徴とする請求項８に記載のムーブメント。
【請求項１０】
日の裏装置の可動部材（36）と、筒カナ（38）及び筒車（42）の歯とが枠（10）の文字盤側に配置されており、筒カナの管状部（38a）が外径によって限定され、該管状部の第一の部分が前記開口部（48）と嵌合し、その外径がｄよりわずかに小さく、管状部の第一の部分が前記開口部で自由に回転することができるようになっており、開口部の外側に配置される該管状部の第二の部分が分針（40）を支持するようになっており、筒車（42）が該第二の部分に嵌合していることを特徴とする請求項７に記載のムーブメント。
【請求項１１】
前記筒車の管状部（42a）が物の収容部として機能することを特徴とする請求項１０に記載のムーブメント。
【請求項１２】
前記物がレンズ（70）、貴石（66）及びコンパス（64）から選択されることを特徴とする請求項９及び１１のいずれか１項に記載のムーブメント。
【発明の詳細な説明】
【技術分野】
【０００１】
本発明は、内径ｄによって限定される円形の中央開口部を備えると共に、外径がＤである環状の枠を有する型の時計のムーブメントであって、前記枠が
・動力源、
・タイムベース、
・該タイムベースと同期して作動される計数装置、
・該計数装置によって作動される装置列、
・アナログ時間表示手段を支持するように設計された日の裏装置列、及び
・該表示手段を修正する手段
を有するムーブメントに関する。
【背景技術】
【０００２】
このようなムーブメントは、ＷＯ 99/35542公報に記載されている。ムーブメントが中央穴を備えたケース中に配されており、これが時計に特定の外観を添えている。このムーブメントにおいて、表示器は重ね合わせた２枚の円盤によって実現されており、その内の１枚は内部歯を備えて時を示し、他方は外部歯を備えて分を示し、両方ともムーブメント列の１つに属する小歯車によって駆動されている。
【０００３】
この型の他のムーブメントは、ＥＰ 0 681 227公報に記載の発明の主題である。このムーブメントは、同様に、時と分とを表示する２枚の円盤を有しているが、これらの円盤は同一平面上に配置されている。このムーブメントにおいては、このように開放されている中央部にツールビロンを収容することができる。
【０００４】
ムーブメントの中央部に開口部を有しているという事実によって、技術的及び美的観点から、根元的な設計上の改善がなされているが、円盤を使用するということによって、時間の読み取りの容易さを低減している。さらに、これらの円盤の駆動は歯車によってなされているので、動力源によって動かされる可動部材の数を増やし、このために、摩擦によって生じる損失が増大する。
【発明の開示】
【０００５】
本発明の目的は、これらの欠点を低減することである。この目的は、日の裏装置列が歯車と小歯車（カナ）を含む日の裏装置可動部材、前記日の裏装置の歯車によって駆動されると共に分針を支持する筒カナ、及び前記日の裏装置の小歯車によって駆動されると共に時針を支持する筒車を有するという事実によって達成される。さらに、前記筒カナと筒車とは前記枠に同心であり、実質的にｄに等しい中央開口部を有している。日の裏装置の歯車は(D-d)/2よりもわずかに小さい直径を有している。
【０００６】
好都合なことに、この装置列は、回転軸を備えた第一可動部材を有しており、この回転軸上に日の裏装置可動部材が摩擦搭載されている。
【０００７】
表示手段用の修正手段は、筒カナと直接噛み合うギヤを有している。
【０００８】
枠が環状であることによって、その回転軸が、(D+d)/2に等しい直径の円上に実質的に位置するように、装置列の可動部材が配置されることが可能になる。
【０００９】
このような方法は、動力源が香箱によって、タイムベースが天府によって、計数装置が脱進機によって形成され、香箱と天府とが前記円上に実質的に位置する軸上で軸支旋回する機械式のムーブメントに特によく適している。
【００１０】
中央開口部は、例えば補足的な情報の表示など、数多くの使用に供することができる。特に効果の高い変形態様においては、ムーブメントは、文字盤の反対側に配された日付機構を有し、該機構は、１つは１０の位、他は１の位という２つの表示用円盤を備え、日付が開口部に表示されるようになっている。このようにして、特に大きな数字で日付を表示することが可能になる。
【００１１】
表示手段の正しい位置決めを確実にするために、筒カナと筒車とはそれぞれ管状部を有し、一方の管状部内に他方の管状部が嵌合するようになっている。筒カナの管状部は、その中で自由に回転することができるように、中央開口部に位置している。
【００１２】
第一の態様において、日の裏装置可動部材と筒カナ及び筒車の歯とは枠の底側に配される。筒カナの管状部は内径と外径とによって限定され、該外径はｄよりもわずかに小さい。このことにより、筒カナの管状部は開口部中で自由に回転することができる。一方、筒車の管状部は、筒カナの管状部の内径よりもわずかに小さい外径を有しており、筒車の管状部は筒カナの管状部内で自由に回転することができる。
【００１３】
筒車の管状部を、物の収容部として使用することが可能である。収容される物は、レンズやコンパスなど技術的機能、または貴石など美的機能を有することができる。
【００１４】
第二の態様において、日の裏装置可動部材と筒カナ及び筒車の歯とは枠の文字盤側に配される。この場合、筒カナの管状部はその外径によって限定され、該外径の第一の部分は開口部に嵌合しており、外径はｄよりもわずかに小さい。このことにより、筒カナの管状部の第一の部分は開口部中で自由に回転することができる。管状部の第二の部分は開口部の外側に配されており、分針を支持し、時針が嵌合している。
【００１５】
筒カナの管状部を、物を受容するための収容部として使用することが可能である。収容される物は、レンズやコンパスなど技術的機能、または貴石など美的機能を有することができる。
【００１６】
本発明の他の効果及び特徴は、添付の図面を参照しながらなされている以下の記載から理解することができる。
【００１７】
図１〜３に示されているムーブメントは、従来の様式で、プレート１２とブリッジとによって形成される枠１０を有している。ブリッジの内、図２及び３においては、切り替えブリッジ１４のみが示されている。枠１０は、図１に示されているように、
・動力源の代わりである香箱１６、
・タイムベースの作用を与える天府１８、
・前記天府と同期して時間を計測し、歯車２２ａ及び小歯車（カナ）２２ｂ並びにアンクル竿２４を有する脱進機２０、
・第一可動部材２８、三番車可動部材３０、秒針用可動部材３２を含む装置列２６であって、各可動部材は、参照補助符号ａで示される歯車、ｂで示される小歯車（カナ）を有し、第一小歯車２８ｂは香箱１６と咬合し、秒針用歯車３２ａは脱進機の可動部材２２の小歯車２２ｂと咬合する装置列
を支持している。
【００１８】
枠１０は、図２に示されているように、さらに、その底面に
・歯車３６ａと小歯車（カナ）３６ｂとによって形成される日の裏装置可動部材３６、日の裏装置の歯車３６ａによって駆動されると共に分針４０を支持する筒カナ３８、及び日の裏装置の小歯車３６ｂによって駆動されると共に時針４４を支持する筒車４２を有する日の裏装置列３４（図１及び３において、針４０及び４４が示されている。）、並びに
・巻上及び時刻設定機構４６
を支持している。
【００１９】
このムーブメントにおいて、枠１０は、外径Ｄ、内径ｄであって、中央開口部４８を形成している環形状を有している。Ｄは３ｄよりもわずかに大きく、通常、3.1ｄ〜3.3ｄの間にある。
【００２０】
前記巻上及び時刻設定機構４６は、時計の外側から操作される時刻設定軸５０、図示されていない滑り小歯車、きち車５２（滑り小歯車ときち車とは軸５０上に搭載されている）、並びに丸穴車とつめ車とを有すると共に、香箱が有するバネ（図１）に荷重をかけるために、きち車を香箱１６に連結する巻上装置列５４を有している。この機構４６は、さらに、図２に示される、相互に咬合すると共に、それぞれ、前記滑り小歯車及び筒カナ３８と嵌合する２つのギヤ５６，５８、おしどり、かんぬき及びジャンパー受を有している。なお、おしどり、かんぬき及びジャンパー受については、本発明に直接関係がないので言及しない。
【００２１】
図１より理解されるように、香箱１６、装置列２６の可動部材、脱進機２０及び天府１８の軸支旋回軸は、実質的に円Ｃ上に配置されている。この円の直径δは(D+d)/2にほぼ等しい。これらの可動部材全てはプレート１２の文字盤側に配置されている。これらは、１以上の受け機構（図示されていない）によって所定位置に保持されている。この特定の配置によって、最も興味深い美的性質を有している時計の部品が文字盤の下から見えるようになっている。
【００２２】
図３により詳細に示されているように、第一の小歯車２８ｂがプレート１２に嵌合し、該小歯車２８ｂは、前記プレートを越えて延びると共にその上に小歯車３６ｂ介して日の裏装置可動部材３６が搭載されている回転軸２８ｃを有している。管形状をしている小歯車３６ｂは刻み目３６ｃを有し、回転軸２８ｃと協働して、確実に摩擦接続するようになっている。この設計によると、摩擦接続のために日の裏装置小歯車３６ｂが回転軸２８ｃ上を滑るときは、時刻設定時を除き、日の裏装置可動部材３６が第一可動部材２８と共に回転することになる。
【００２３】
装置列の可動部材は伝統的な方法でプレート１２と受け部材の１つとの間を軸支旋回するが、筒カナ３８及び筒車４２の軸方向及び半径方向の案内は、新しい方法で実現されている。より正確には、筒カナ３８は、その外径が開口部４８の内径よりもわずかに小さい管状部３８ａを有しており、筒カナが開口部内で自由に回転することができるようになっている。また、筒カナの長さは枠１０を横切り、分針４０を所定の位置に押し付けることのできる高さを超えるのに十分なものとなっている。
【００２４】
筒車４２は、同様に管状部４２ａを有しており、その外径は筒カナの管状部３８ａの内径よりもわずかに小さく、筒車が筒カナに嵌合すると共にその中で自由に回転することができるようになっている。筒車の管状部４２ａは、筒カナの管状部３８ａを越えて延び、時針４４を固定するのに十分な高さを有している。
【００２５】
時計にあっては、伝統的に、分針４０は１時間に１回転し、時針は１２時間毎に１回転する。これは、日の裏装置可動部材３６、筒カナ３８及び筒車４２の歯数が、ギヤ比が１／１２になるように定められていなければならないことを意味する。
【００２６】
開口部４８はD/3に実質的に等しい直径ｄを有しており、これは、環状部の幅が実質的にｄに等しく、日の裏装置の歯車３６ａを収容することのできる半径方向の空間に対応する。換言すると、日の裏装置の歯車３６ａと筒カナ３８とは同じ直径を有していることになる。これは、日の裏装置は、第一可動部材の回転速度に対応して１時間に１回転し、一方、１２による分割は日の裏装置の小歯車３６ｂと筒車４２との間で、これらの可動部材のギヤ比を１：１２にして行われなくてはならない、と言うのと同じである。この設計においては、時針４４が分針４０の下に配されていることに注意されたい。
【００２７】
図４及び５に示されている態様は、図１〜３を参照して記載されている部品の大半を使用しており、共通する部品は同じ参照符号を有している。しかしながら、この場合においては、装置列２６と日の裏装置列３４は文字盤側に配されている。第一小歯車３６ｂはプレート１２と、図５においてのみ示されている受け装置６０との間で軸支旋回する。
【００２８】
筒カナ３８は、同様に、２つの異なる部分で形成されている管状部３８ａを有している。底部側に向かって延びる第一の部分は、開口部４８と嵌合している。文字盤側の枠面を越えて延在している第二の部分は、分針４０用の支持体を構成している。筒車は、同様に、管状部４２ａを備えているが、その第二の部分において筒カナの管状部３８ａを取り囲んで該管状部に配されており、第一の態様で記載したように、開口部４８とは嵌合していない。
【００２９】
この変形例によって、時針４４と分針４０とは伝統的な位置に配される。さらに、単一の管状部が開口部４８と嵌合するので、その直径をわずかに大きくすることができる。
【００３０】
先に記載したムーブメントの１つ又は他のものは、様々な構造的変形例を示している図１〜６に見られるように、伝統的なケース６１に収容することができる。
【００３１】
図６の時計において、開口部４８には何も入れられておらず、ケース６１はガラスで作られている底部６２を備えており、時計の中央部を見通せるようになっている。
【００３２】
図７〜９に示されているように、開口部４８は物の受容部にもなることができる。ムーブメントが前記第一の態様に相当するか、第二の態様に相当するかによって、この物は筒車の管状部４２ａに収容されるか、日の裏装置の管状部３８ａに収容される。
【００３３】
図７に示されている時計での物はコンパス６４であり、収容部になっている管状部を有する歯車に合わせて回転する。この場合においては、底部６２は不透明であってもよい。
【００３４】
図８の変形例では、管状部を貴石６６、例えばダイヤモンドやジルコンを受容する収容部として使用している。このような態様によると、高い謹厳を保ちつつ、時計に宝石を埋め込んだ外観を添えることができる。この場合においては、ケース６１の底部６２、少なくともその中央部が透明であると効果的である。この透明部によって貴石の輝きを増すことができる。
【００３５】
図９は、底部６２が画像６８を有している時計を示している。この画像は、管状部３８ａ又は４２ａによって支持される拡大鏡によって拡大することができる。
【００３６】
最後に、図１０は図９のものに類似する時計に関し、画像が大きな窓の日付表示７２によって置き換えられている。この表示は、２つの円盤７４と７６とによって実現されており、一方が一位の数字を示し、他方が十位の数字を示している。これら２つの円盤は、例えば、特許CH 310 559に記載されているような機構によって駆動される。
【００３７】
図１〜５を参照して記載されているムーブメントは機械式である。完全に比較し得る様態において、本発明の基本的特徴は電子機械的時計にも見出すことができる。この場合において、動力源は電池又は蓄電池、タイムベースはクオーツ、計数装置は電子回路及びステップモータである。
【００３８】
図１、２及び４から理解されるように、ムーブメントの基本部品は３時と９時との間に納められている枠１０の部分を実質的に占有している。この枠１０の他の部分は、リピーター、クロノグラフ等の他の機構の支持体ともなる。同様に、装置列２６と日の裏装置列３４とを底面側に配し、円盤形の表示装置を文字盤側に配して、例えば、曜日と日付とを表示することも可能である。
【図面の簡単な説明】
【００３９】
【図１】図１は、本発明の第一の態様によるムーブメントの文字盤側を示している。
【図２】図２は、本発明の第一の態様によるムーブメントの底側を示している。
【図３】図３は、本発明の第一の態様によるムーブメントを示しており、図１及び２におけるＡ−Ａ線の位置における断面図である。
【図４】図４は、本発明の第二の態様によるムーブメントの底側を示している。
【図５】図５は、本発明の第二の態様によるムーブメントを示しており、図４におけるＡ−Ａ線の位置における断面図である。
【図６】図６は、本発明によるムーブメントを備えた時計の変形例であり、ａに平面図を、ｂに拡大部分断面図を示している。
【図７】図７は、本発明によるムーブメントを備えた時計の別の変形例であり、ａに平面図を、ｂに拡大部分断面図を示している。
【図８】図８は、本発明によるムーブメントを備えた時計のまた別の変形例であり、ａに平面図を、ｂに拡大部分断面図を示している。
【図９】図９は、本発明によるムーブメントを備えた時計の更なる変形例であり、ａに平面図を、ｂに拡大部分断面図を示している。
【図１０】図１０は、本発明によるムーブメントを備えた時計の更に別の変形例であり、ａに平面図を、ｂに拡大部分断面図を示している。
【図１】
2004528551.tif 000003
【図２】
2004528551.tif 000004
【図３】
2004528551.tif 000005
【図４】
2004528551.tif 000006
【図５】
2004528551.tif 000007
【図６】
2004528551.tif 000008
【図７】
2004528551.tif 000009
【図８】
2004528551.tif 000010
【図９】
2004528551.tif 000011
【図１０】
2004528551.tif 000012
【国際公開パンフレット】
2004528551.tif 000013
2004528551.tif 000014
2004528551.tif 000015
2004528551.tif 000016
2004528551.tif 000017
2004528551.tif 000018
2004528551.tif 000019
2004528551.tif 000020
2004528551.tif 000021
2004528551.tif 000022
2004528551.tif 000023
2004528551.tif 000024
2004528551.tif 000025
2004528551.tif 000026
2004528551.tif 000027
2004528551.tif 000028
2004528551.tif 000029
2004528551.tif 000030
【国際公開パンフレット（コレクトバージョン）】
2004528551.tif 000031
2004528551.tif 000032
【手続補正書】
【提出日】平成14年10月30日(2002.10.30)
【手続補正１】
【補正対象書類名】明細書
【補正対象項目名】全文
【補正方法】変更
【補正の内容】
【発明の詳細な説明】
【技術分野】
【０００１】
本発明は、内径ｄによって限定される円形の中央開口部を備えると共に、外径がＤである環状の枠を有する型の時計のムーブメントであって、前記枠が
・動力源、
・タイムベース、
・該タイムベースと同期して作動される計数装置、
・該計数装置によって作動される装置列、
・アナログ時間表示手段を支持するように設計された日の裏装置列、及び
・該表示手段を修正する手段
を有するムーブメントに関する。
【背景技術】
【０００２】
このようなムーブメントは、ＷＯ 99/35542公報に記載されている。ムーブメントが中央穴を備えたケース中に配されており、これが時計に特定の外観を添えている。このムーブメントにおいて、表示器は重ね合わせた２枚の円盤によって実現されており、その内の１枚は内部歯を備えて時を示し、他方は外部歯を備えて分を示し、両方ともムーブメント列の１つに属する小歯車によって駆動されている。
【０００３】
この型の他のムーブメントは、ＥＰ 0 681 227公報に記載の発明の主題である。このムーブメントは、同様に、時と分とを表示する２枚の円盤を有しているが、これらの円盤は同一平面上に配置されている。このムーブメントにおいては、このように開放されている中央部にツールビロンを収容することができる。
【０００４】
FR 2 713 790号公報とGB 2 162 663号公報もこの型の時計に関する。これらの時計においては、歯車列と修正手段とが非常に大雑把に開示されており、明細書は、公知の型の機構で使用することができると記載するに留まっている。
【０００５】
ムーブメントの中央部に開口部を有しているという事実によって、技術的及び美的観点から、根元的な設計上の改善がなされているが、円盤を使用するということによって、時間の読み取りの容易さを低減している。さらに、これらの円盤の駆動は歯車によってなされているので、動力源によって動かされる可動部材の数を増やし、このために、摩擦によって生じる損失が増大する。
【発明の開示】
【０００６】
本発明の目的は、これらの欠点を低減することである。この目的は、日の裏装置列が歯車と小歯車（カナ）を含む日の裏装置可動部材、前記日の裏装置の歯車によって駆動されると共に分針を支持する筒カナ、及び前記日の裏装置の小歯車によって駆動されると共に時針を支持する筒車を有するという事実によって達成される。さらに、前記筒カナと筒車とは前記枠に同心であり、実質的にｄに等しい中央開口部を有している。日の裏装置の歯車は(D-d)/2よりもわずかに小さい直径を有している。
【０００７】
日の裏装置の歯車が文字盤の面積に比べて大きく、実際上ムーブメントの周囲あたりまで延在するような時計は、明らかに公知である。これはUS 1 949 024号に開示されている時計について当てはまる。この米国特許においては、柱時計の一部である時計のムーブメントが、新しい型の表示器の操作を説明するために非常に大雑把に開示されている。この時計においては、ムーブメントの中心が閉じられて第一歯車軸に占有されており、これによって１時間に１回の回転を実現している。
【０００８】
好都合なことに、この装置列は、回転軸を備えた第一可動部材を有しており、この回転軸上に日の裏装置可動部材が摩擦搭載されている。
【０００９】
表示手段用の修正手段は、筒カナと直接噛み合うギヤを有している。
【００１０】
枠が環状であることによって、その回転軸が、(D+d)/2に等しい直径の円上に実質的に位置するように、装置列の可動部材が配置されることが可能になる。
【００１１】
このような方法は、動力源が香箱によって、タイムベースが天府によって、計数装置が脱進機によって形成され、香箱と天府とが前記円上に実質的に位置する軸上で軸支旋回する機械式のムーブメントに特によく適している。
【００１２】
中央開口部は、例えば補足的な情報の表示など、数多くの使用に供することができる。特に効果の高い変形態様においては、ムーブメントは、文字盤の反対側に配された日付機構を有し、該機構は、１つは１０の位、他は１の位という２つの表示用円盤を備え、日付が開口部に表示されるようになっている。このようにして、特に大きな数字で日付を表示することが可能になる。
【００１３】
表示手段の正しい位置決めを確実にするために、筒カナと筒車とはそれぞれ管状部を有し、一方の管状部内に他方の管状部が嵌合するようになっている。筒カナの管状部は、その中で自由に回転することができるように、中央開口部に位置している。
【００１４】
第一の態様において、日の裏装置可動部材と筒カナ及び筒車の歯とは枠の底側に配される。筒カナの管状部は内径と外径とによって限定され、該外径はｄよりもわずかに小さい。このことにより、筒カナの管状部は開口部中で自由に回転することができる。一方、筒車の管状部は、筒カナの管状部の内径よりもわずかに小さい外径を有しており、筒車の管状部は筒カナの管状部内で自由に回転することができる。
【００１５】
筒車の管状部を、物の収容部として使用することが可能である。収容される物は、レンズやコンパスなど技術的機能、または貴石など美的機能を有することができる。
【００１６】
第二の態様において、日の裏装置可動部材と筒カナ及び筒車の歯とは枠の文字盤側に配される。この場合、筒カナの管状部はその外径によって限定され、該外径の第一の部分は開口部に嵌合しており、外径はｄよりもわずかに小さい。このことにより、筒カナの管状部の第一の部分は開口部中で自由に回転することができる。管状部の第二の部分は開口部の外側に配されており、分針を支持し、時針が嵌合している。
【００１７】
筒カナの管状部を、物を受容するための収容部として使用することが可能である。収容される物は、レンズやコンパスなど技術的機能、または貴石など美的機能を有することができる。
【００１８】
本発明の他の効果及び特徴は、添付の図面を参照しながらなされている以下の記載から理解することができる。
【００１９】
図１〜３に示されているムーブメントは、従来の様式で、プレート１２とブリッジとによって形成される枠１０を有している。ブリッジの内、図２及び３においては、切り替えブリッジ１４のみが示されている。枠１０は、図１に示されているように、
・動力源の代わりである香箱１６、
・タイムベースの作用を与える天府１８、
・前記天府と同期して時間を計測し、歯車２２ａ及び小歯車（カナ）２２ｂ並びにアンクル竿２４を有する脱進機２０、
・第一可動部材２８、三番車可動部材３０、秒針用可動部材３２を含む装置列２６であって、各可動部材は、参照補助符号ａで示される歯車、ｂで示される小歯車（カナ）を有し、第一小歯車２８ｂは香箱１６と咬合し、秒針用歯車３２ａは脱進機の可動部材２２の小歯車２２ｂと咬合する装置列
を支持している。
【００２０】
枠１０は、図２に示されているように、さらに、その底面に
・歯車３６ａと小歯車（カナ）３６ｂとによって形成される日の裏装置可動部材３６、日の裏装置の歯車３６ａによって駆動されると共に分針４０を支持する筒カナ３８、及び日の裏装置の小歯車３６ｂによって駆動されると共に時針４４を支持する筒車４２を有する日の裏装置列３４（図１及び３において、針４０及び４４が示されている。）、並びに
・巻上及び時刻設定機構４６
を支持している。
【００２１】
このムーブメントにおいて、枠１０は、外径Ｄ、内径ｄであって、中央開口部４８を形成している環形状を有している。Ｄは３ｄよりもわずかに大きく、通常、3.1ｄ〜3.3ｄの間にある。
【００２２】
前記巻上及び時刻設定機構４６は、時計の外側から操作される時刻設定軸５０、図示されていない滑り小歯車、きち車５２（滑り小歯車ときち車とは軸５０上に搭載されている）、並びに丸穴車とつめ車とを有すると共に、香箱が有するバネ（図１）に荷重をかけるために、きち車を香箱１６に連結する巻上装置列５４を有している。この機構４６は、さらに、図２に示される、相互に咬合すると共に、それぞれ、前記滑り小歯車及び筒カナ３８と嵌合する２つのギヤ５６，５８、おしどり、かんぬき及びジャンパー受を有している。なお、おしどり、かんぬき及びジャンパー受については、本発明に直接関係がないので言及しない。
【００２３】
図１より理解されるように、香箱１６、装置列２６の可動部材、脱進機２０及び天府１８の軸支旋回軸は、実質的に円Ｃ上に配置されている。この円の直径δは(D+d)/2にほぼ等しい。これらの可動部材全てはプレート１２の文字盤側に配置されている。これらは、１以上の受け機構（図示されていない）によって所定位置に保持されている。この特定の配置によって、最も興味深い美的性質を有している時計の部品が文字盤の下から見えるようになっている。
【００２４】
図３により詳細に示されているように、第一の小歯車２８ｂがプレート１２に嵌合し、該小歯車２８ｂは、前記プレートを越えて延びると共にその上に小歯車３６ｂ介して日の裏装置可動部材３６が搭載されている回転軸２８ｃを有している。管形状をしている小歯車３６ｂは刻み目３６ｃを有し、回転軸２８ｃと協働して、確実に摩擦接続するようになっている。この設計によると、摩擦接続のために日の裏装置小歯車３６ｂが回転軸２８ｃ上を滑るときは、時刻設定時を除き、日の裏装置可動部材３６が第一可動部材２８と共に回転することになる。
【００２５】
装置列の可動部材は伝統的な方法でプレート１２と受け部材の１つとの間を軸支旋回するが、筒カナ３８及び筒車４２の軸方向及び半径方向の案内は、新しい方法で実現されている。より正確には、筒カナ３８は、その外径が開口部４８の内径よりもわずかに小さい管状部３８ａを有しており、筒カナが開口部内で自由に回転することができるようになっている。また、筒カナの長さは枠１０を横切り、分針４０を所定の位置に押し付けることのできる高さを超えるのに十分なものとなっている。
【００２６】
筒車４２は、同様に管状部４２ａを有しており、その外径は筒カナの管状部３８ａの内径よりもわずかに小さく、筒車が筒カナに嵌合すると共にその中で自由に回転することができるようになっている。筒車の管状部４２ａは、筒カナの管状部３８ａを越えて延び、時針４４を固定するのに十分な高さを有している。
【００２７】
時計にあっては、伝統的に、分針４０は１時間に１回転し、時針は１２時間毎に１回転する。これは、日の裏装置可動部材３６、筒カナ３８及び筒車４２の歯数が、ギヤ比が１／１２になるように定められていなければならないことを意味する。
【００２８】
開口部４８はD/3に実質的に等しい直径ｄを有しており、これは、環状部の幅が実質的にｄに等しく、日の裏装置の歯車３６ａを収容することのできる半径方向の空間に対応する。換言すると、日の裏装置の歯車３６ａと筒カナ３８とは同じ直径を有していることになる。これは、日の裏装置は、第一可動部材の回転速度に対応して１時間に１回転し、一方、１２による分割は日の裏装置の小歯車３６ｂと筒車４２との間で、これらの可動部材のギヤ比を１：１２にして行われなくてはならない、と言うのと同じである。この設計においては、時針４４が分針４０の下に配されていることに注意されたい。
【００２９】
図４及び５に示されている態様は、図１〜３を参照して記載されている部品の大半を使用しており、共通する部品は同じ参照符号を有している。しかしながら、この場合においては、装置列２６と日の裏装置列３４は文字盤側に配されている。第一小歯車３６ｂはプレート１２と、図５においてのみ示されている受け装置６０との間で軸支旋回する。
【００３０】
筒カナ３８は、同様に、２つの異なる部分で形成されている管状部３８ａを有している。底部側に向かって延びる第一の部分は、開口部４８と嵌合している。文字盤側の枠面を越えて延在している第二の部分は、分針４０用の支持体を構成している。筒車は、同様に、管状部４２ａを備えているが、その第二の部分において筒カナの管状部３８ａを取り囲んで該管状部に配されており、第一の態様で記載したように、開口部４８とは嵌合していない。
【００３１】
この変形例によって、時針４４と分針４０とは伝統的な位置に配される。さらに、単一の管状部が開口部４８と嵌合するので、その直径をわずかに大きくすることができる。
【００３２】
先に記載したムーブメントの１つ又は他のものは、様々な構造的変形例を示している図１〜６に見られるように、伝統的なケース６１に収容することができる。
【００３３】
図６の時計において、開口部４８には何も入れられておらず、ケース６１はガラスで作られている底部６２を備えており、時計の中央部を見通せるようになっている。
【００３４】
図７〜９に示されているように、開口部４８は物の受容部にもなることができる。ムーブメントが前記第一の態様に相当するか、第二の態様に相当するかによって、この物は筒車の管状部４２ａに収容されるか、日の裏装置の管状部３８ａに収容される。
【００３５】
図７に示されている時計での物はコンパス６４であり、収容部になっている管状部を有する歯車に合わせて回転する。この場合においては、底部６２は不透明であってもよい。
【００３６】
図８の変形例では、管状部を貴石６６、例えばダイヤモンドやジルコンを受容する収容部として使用している。このような態様によると、高い謹厳を保ちつつ、時計に宝石を埋め込んだ外観を添えることができる。この場合においては、ケース６１の底部６２、少なくともその中央部が透明であると効果的である。この透明部によって貴石の輝きを増すことができる。
【００３７】
図９は、底部６２が画像６８を有している時計を示している。この画像は、管状部３８ａ又は４２ａによって支持される拡大鏡によって拡大することができる。
【００３８】
最後に、図１０は図９のものに類似する時計に関し、画像が大きな窓の日付表示７２によって置き換えられている。この表示は、２つの円盤７４と７６とによって実現されており、一方が一位の数字を示し、他方が十位の数字を示している。これら２つの円盤は、例えば、特許CH 310 559に記載されているような機構によって駆動される。
【００３９】
図１〜５を参照して記載されているムーブメントは機械式である。完全に比較し得る様態において、本発明の基本的特徴は電子機械的時計にも見出すことができる。この場合において、動力源は電池又は蓄電池、タイムベースはクオーツ、計数装置は電子回路及びステップモータである。
【００４０】
図１、２及び４から理解されるように、ムーブメントの基本部品は３時と９時との間に納められている枠１０の部分を実質的に占有している。この枠１０の他の部分は、リピーター、クロノグラフ等の他の機構の支持体ともなる。同様に、装置列２６と日の裏装置列３４とを底面側に配し、円盤形の表示装置を文字盤側に配して、例えば、曜日と日付とを表示することも可能である。
【図面の簡単な説明】
【００４１】
【図１】図１は、本発明の第一の態様によるムーブメントの文字盤側を示している。
【図２】図２は、本発明の第一の態様によるムーブメントの底側を示している。
【図３】図３は、本発明の第一の態様によるムーブメントを示しており、図１及び２におけるＡ−Ａ線の位置における断面図である。
【図４】図４は、本発明の第二の態様によるムーブメントの底側を示している。
【図５】図５は、本発明の第二の態様によるムーブメントを示しており、図４におけるＡ−Ａ線の位置における断面図である。
【図６】図６は、本発明によるムーブメントを備えた時計の変形例であり、ａに平面図を、ｂに拡大部分断面図を示している。
【図７】図７は、本発明によるムーブメントを備えた時計の別の変形例であり、ａに平面図を、ｂに拡大部分断面図を示している。
【図８】図８は、本発明によるムーブメントを備えた時計のまた別の変形例であり、ａに平面図を、ｂに拡大部分断面図を示している。
【図９】図９は、本発明によるムーブメントを備えた時計の更なる変形例であり、ａに平面図を、ｂに拡大部分断面図を示している。
【図１０】図１０は、本発明によるムーブメントを備えた時計の更に別の変形例であり、ａに平面図を、ｂに拡大部分断面図を示している。




【国際調査報告】
2004528551.tif 000033
2004528551.tif 000034
2004528551.tif 000035
2004528551.tif 000036
2004528551.tif 000037
2004528551.tif 000038